(57)【要約】【課題】ある内線に着信している呼を別の内線にてピックアップする場合に、着信先内線の現状況をピックアップ側の内線にて事前に確認でき、これによりスムーズな電話の取次ぎが可能な電話交換装置を提供する。【解決手段】ＰＢＸ１の中央制御部１４において、例えば内線端末ＤＫＴ２のユーザが離席による理由情報を入力した場合に、内線端末ＤＫＴ２の内線番号（１００１）と入力した離席理由情報とを対応付けて記憶部１５の離席理由テーブル１５１に記憶しておき、内線端末ＤＫＴ２への着信時に内線端末ＤＫＴ８にて着信情報を表示するためのキーが押下された場合に、着信中にある内線端末ＤＫＴ２の内線番号に基づいて離席理由テーブル１５１を参照して内線端末ＤＫＴ２の内線番号に対応する離席理由情報が記憶されているか否かを判定し、記憶されている場合に、発信元を特定する発信者情報及び着信先内線番号及び離席理由情報が内線端末ＤＫＴ８に通知する。【選択図】      図１
2010177794.tif 000002
【特許請求の範囲】
【請求項１】
複数の電話端末を収容する電話交換装置において、
前記複数の電話端末のうち第１の電話端末にて離席時に理由情報が入力された場合に、前記理由情報を前記第１の電話端末を特定する端末識別情報に対応付けて記憶する記憶手段と、
前記第１の電話端末への着信時に前記第１の電話端末とは異なる第２の電話端末にて着信情報を表示するための要求操作がなされた場合に、着信中にある前記第１の電話端末の端末識別情報に基づき前記記憶手段を参照し、前記第１の電話端末の端末識別情報に対応する理由情報が記憶されている場合に、発信元を特定する発信者情報及び前記記憶手段に記憶されている前記第１の電話端末の端末識別情報及び前記理由情報を前記第２の電話端末に通知する通知手段と、
前記第２の電話端末に前記発信者情報、前記第１の電話端末の端末識別情報及び前記理由情報を通知している状態で前記第２の電話端末にて前記第１の電話端末に着信している呼をピックアップする操作がなされた場合に、前記第２の電話端末に対し着信制御を行うピックアップ制御手段とを具備したことを特徴とする電話交換装置。
【請求項２】
ピックアップ操作がなされた前記第２の電話端末を特定する端末識別情報と、前記発信者情報、前記第１の電話端末の端末識別情報及び前記理由情報の受信履歴に関するピックアップ履歴情報とを対応付けて記憶する履歴情報記憶手段と、
前記第２の電話端末にてピックアップ履歴情報の表示要求操作がなされた場合に、前記履歴情報記憶手段を参照して、前記第２の電話端末に対し対応するピックアップ履歴情報を通知する履歴情報通知手段とをさらに備えたことを特徴とする請求項１記載の電話交換装置。
【請求項３】
前記複数の電話端末ごとに前記記憶手段への前記理由情報の登録方法を表すデータを記憶する登録方法記憶手段と、
各電話端末に対する前記理由情報の登録を、前記登録方法記憶手段を参照して、該当する登録方法により行う登録制御手段とをさらに備えたことを特徴とする請求項１記載の電話交換装置。
【請求項４】
複数の電話端末を収容する電話交換装置で使用される制御方法において、
前記複数の電話端末のうち第１の電話端末にて離席時に理由情報が入力された場合に、前記理由情報を前記第１の電話端末を特定する端末識別情報に対応付けて記録媒体に記憶しておき、
前記第１の電話端末への着信時に前記第１の電話端末とは異なる第２の電話端末にて着信情報を表示するための要求操作がなされた場合に、着信中にある前記第１の電話端末の端末識別情報に基づき前記記録媒体を参照し、
前記第１の電話端末の端末識別情報に対応する理由情報が記憶されている場合に、発信元を特定する発信者情報及び前記記録媒体に記憶されている前記第１の電話端末の端末識別情報及び前記理由情報を前記第２の電話端末に通知し、
前記第２の電話端末に前記発信者情報、前記第１の電話端末の端末識別情報及び前記理由情報を通知している状態で前記第２の電話端末にて前記第１の電話端末に着信している呼をピックアップする操作がなされた場合に、前記第２の電話端末に対し着信制御を行うことを特徴とする制御方法。
【発明の詳細な説明】
【技術分野】
【０００１】
この発明は、例えばＰＢＸ(Private exchange branch)等のピックアップ機能を備える電話交換装置、及びこの電話交換装置が提供するピックアップを制御する制御方法に関する。
【背景技術】
【０００２】
一般に、ＰＢＸといった電話交換装置は各種のサービス機能を備えており、その一つにピックアップ機能がある。このピックアップ機能とは、予め電話交換装置に登録しているグループ内の内線端末に着信している呼を、同じグループ内の別の内線端末にてピックアップする機能である。
【０００３】
ところで、オフィスのようにグループ単位での座席レイアウトを組んでいる場合、どの内線端末に着信しているのか不明のままピックアップしており、かつ着信している内線端末の状態（外出、離席、携帯での通話など）も分からず、結果として、着信側内線端末の席に確認に行くことが多々ある。また、発信者の情報もピックアップするまで不明である。
【０００４】
なお、従来では、ある内線端末に対し着信する呼を別の内線端末にて着信情報を要求する操作がなされると、その着信先の端末を特定する識別情報と発信者情報とを要求元の内線端末の表示器に表示する手法が提案されている（例えば、特許文献１）。また、従来では、ある内線端末に対し着信する呼を別の内線端末にてピックアップする操作がなされると、着信先の内線端末の状態情報を要求元の内線端末の表示器に表示する手法も提案されている（例えば、特許文献２）。
【先行技術文献】
【特許文献】
【０００５】
【特許文献１】特開２００７−１７４００３公報
【特許文献２】特開２００２−１４９２３公報。
【発明の概要】
【発明が解決しようとする課題】
【０００６】
しかしながら、上記特許文献１による手法では、着信先の端末の現状況までは把握することができない。また、上記特許文献２による手法では、着信応答までの時間が設定時間を越えた場合に、予め決められた理由メッセージをピックアップ元の内線端末の表示器に表示するものであり、着信先端末の詳細な現状況までは把握することができない。
【０００７】
そこで、この発明の目的は、ある内線に着信している呼を別の内線にてピックアップする場合に、着信先内線の現状況をピックアップ側の内線にて事前に確認でき、これによりスムーズな電話の取次ぎが可能な電話交換装置及びこの電話交換装置で使用される制御方法を提供することにある。
【課題を解決するための手段】
【０００８】
（１）上記目的を達成するために、この発明に係る電話交換装置は、複数の電話端末を収容する電話交換装置において、複数の電話端末のうち第１の電話端末にて離席時に理由情報が入力された場合に、理由情報を第１の電話端末を特定する端末識別情報に対応付けて記憶する記憶手段と、第１の電話端末への着信時に第１の電話端末とは異なる第２の電話端末にて着信情報を表示するための表示要求操作がなされた場合に、着信中にある第１の電話端末の端末識別情報に基づき記憶手段を参照し、第１の電話端末の端末識別情報に対応する理由情報が記憶されている場合に、発信元を特定する発信者情報及び記憶手段に記憶されている第１の電話端末の端末識別情報及び理由情報を第２の電話端末に通知する通知手段と、第２の電話端末に発信者情報、第１の電話端末の端末識別情報及び理由情報を通知している状態で第２の電話端末にて第１の電話端末に着信している呼をピックアップする操作がなされた場合に、第２の電話端末に対し着信制御を行うピックアップ制御手段とを備えるようにしたものである。
【０００９】
（１）の構成によれば、第１の電話端末のユーザが離席による理由情報を入力した場合に、第１の電話端末を特定する端末識別情報と入力した理由情報とを対応付けてメモリに記憶しておき、第１の電話端末への着信時に第２の電話端末にて着信情報を表示するための要求操作がなされた場合に、着信中にある第１の電話端末の端末識別情報に基づいてメモリを参照して第１の電話端末の端末識別情報に対応する理由情報が記憶されているか否かを判定し、記憶されている場合に、発信元を特定する発信者情報及びメモリに記憶されている第１の電話端末の端末識別情報及び理由情報が第２の電話端末に通知される。この通知状態で、第２の電話端末にてピックアップ操作がなされた場合に、第２の電話端末に対し着信を転送して着信させることができる。
【００１０】
従って、着信先の電話端末へ足を運んで確認に行くことなく、着信呼のピックアップに先立ち、ピックアップ側の電話端末にて発信者及び着信側の電話端末の状態を把握できるため、スムーズな電話の取次ぎが可能となる。
【００１１】
（２）ピックアップ操作がなされた前記第２の電話端末を特定する端末識別情報と、発信者情報、第１の電話端末の端末識別情報及び理由情報の受信履歴に関するピックアップ履歴情報とを対応付けて記憶する履歴情報記憶手段と、第２の電話端末にてピックアップ履歴情報の表示要求操作がなされた場合に、履歴情報記憶手段を参照して、第２の電話端末に対し対応するピックアップ履歴情報を通知する履歴情報通知手段とをさらに備えるようにした。
【００１２】
（２）の構成によれば、第２の電話端末を特定する端末識別情報と、発信者情報、第１の電話端末の端末識別情報及び理由情報の受信履歴に関するピックアップ履歴情報とを対応付けてメモリに記憶しておくことで、第１の電話端末のユーザが在席したときに、第２の電話端末のユーザは第１の電話端末のユーザに対しメモリに記憶されたピックアップ履歴情報に基づいて報告することができる。
【００１３】
（３）複数の電話端末ごとに記憶手段への理由情報の登録方法を表すデータを記憶する登録方法記憶手段と、各電話端末に対する理由情報の登録を、登録方法記憶手段を参照して、該当する登録方法により行う登録制御手段とをさらに備えるようにした。
【００１４】
（３）の構成によれば、例えば各電話端末ごとに、個々の電話端末の登録操作により当該電話端末の端末識別情報と理由情報とを対応付けてメモリへ登録したり、また特定の電話端末における登録操作により複数の電話端末の端末識別情報と理由情報とを一括してメモリへ登録する等、各電話端末ごとにその使用状況に適した登録を行うことができる。
【発明の効果】
【００１５】
この発明は、ある内線に着信している呼を別の内線にてピックアップする場合に、着信先内線の現状況をピックアップ側の内線にて事前に確認でき、これによりスムーズな電話の取次ぎが可能な電話交換装置及びこの電話交換装置で使用される制御方法を提供することができる。
【図面の簡単な説明】
【００１６】
【図１】この発明の第１の実施形態に係わる交換システムの構成を示すブロック図。
【図２】上記図１に示した離席理由テーブルの記憶内容の一例を示す図。
【図３】上記図１に示したピックアップ履歴テーブルの記憶内容の一例を示す図。
【図４】一般的なピックアップ動作を説明するために示す図。
【図５】同第１の実施形態によるピックアップ動作を示すシーケンス図。
【図６】同第１の実施形態の中央制御部による離席理由登録制御手順及びその内容を示すフローチャート。
【図７】同第１の実施形態の中央制御部によるピックアップ制御手順及びその内容を示すフローチャート。
【図８】この発明の第２の実施形態に係わる交換システムの構成を示すブロック図。
【図９】上記図８に示した登録方法テーブルの記憶内容の一例を示す図。
【発明を実施するための形態】
【００１７】
以下、この発明の実施形態について図面を参照して詳細に説明する。  
（第１の実施形態）  
図１は、この発明の第１の実施形態に係わる交換システムの構成を示すブロック図であり、１はＰＢＸを示している。
【００１８】
ＰＢＸ１は、外線インタフェース部（外線Ｉ／Ｆ）１１と、内線インタフェース部（内線Ｉ／Ｆ）１２と、タイムスイッチ（ＴＳＷ）１３と、中央制御部１４と、記憶部１５とを備え、このうち外線インタフェース部１１、内線インタフェース部１２及び中央制御部１４は制御バス（ＤＨＷ）１６を介して相互に接続されている。また、外線インタフェース部１１、内線インタフェース部１２及びタイムスイッチ１３は、音声バス（ＰＣＭＨＷ）１７を介して相互に接続されている。
【００１９】
外線インタフェース部１１は、加入者線ＳＬを介して公衆網ＰＮＷに接続され、公衆網ＰＮＷとの間の呼の確立処理等を行う。
【００２０】
内線インタフェース部１２には複数の内線ＥＬ１〜ＥＬｍ（ｍは自然数）が収容されており、これらの内線ＥＬ１〜ＥＬｍにはそれぞれ内線端末ＤＫＴ１〜ＤＫＴｍが接続される。内線端末ＤＫＴ１〜ＤＫＴｍとして使用されるものには、例えばデジタルボタン電話機がある。内線インタフェース部１３は、内線端末ＤＫＴ１〜ＤＫＴｍに対する発着信処理やデジタル信号の転送処理等を行なう。
【００２１】
タイムスイッチ１３は、中央制御部１４の指示に従い、上記外線インタフェース部１１と内線インタフェース部１２との間で音声バス１７を介して伝送されるデジタル信号のチャネル交換を行なう。
【００２２】
中央制御部１４は、各内線端末ＤＫＴ１〜ＤＫＴｍの発呼要求に伴う発信処理や、加入者線ＳＬからの外線着信に伴う通常の着信処理、内線端末ＤＫＴ１〜ＤＫＴｍ間の転送処理等を実行する。
【００２３】
記憶部１５は、上記中央制御部１４の制御処理に必要な制御データが記憶されている。
【００２４】
ところで、この第１の実施形態では、中央制御部１４に、テーブル作成部１４１と、着信情報通知部１４２と、ピックアップ制御部１４３と、ピックアップ履歴通知部１４４とを備えている。テーブル作成部１４１は、例えば内線端末ＤＫＴ１において離席理由を受け付けるためのキーが押下されてユーザの離席理由「会議」が入力された場合に、内線端末ＤＫＴ１の内線番号（１０００）と離席理由との対応関係を表すデータを作成し記憶部１５の離席理由テーブル１５１に記憶する。なお、離席理由テーブル１５１には、図２に示すようなデータが記憶されることになる。
【００２５】
着信情報通知部１４２は、内線端末ＤＫＴ１への着信時に内線端末ＤＫＴ８（２０００）にて着信情報を表示のための要求キーが押下された場合に、着信中にある内線端末ＤＫＴ１の内線番号（１０００）に基づき離席理由テーブル１５１を参照し、内線番号（１０００）に対応する離席理由「会議」が登録されている場合に、発信元を特定する発信者情報及び離席理由テーブル１５１に登録されている内線番号（１０００）及び離席理由「会議」を内線端末ＤＫＴ８に通知して表示器に表示させる。なお、着信情報を表示のための要求キーは、予め割り当てられた機能キー１またはダイヤル［＃１３］となる。
【００２６】
ピックアップ制御部１４３は、内線端末ＤＫＴ８の表示器に発信者情報及び内線番号（１０００）及び離席理由「会議」を表示している状態で、内線端末ＤＫＴ８にて内線端末ＤＫＴ１に着信している呼をピックアップするためのピックアップキーを押下した場合に、内線端末ＤＫＴ８に対し着信を転送して着信させる。そして、ピックアップ後に、内線端末ＤＫＴ８の内線番号（２０００）と、ピックアップした日時の発信者情報及び内線番号（１０００）及び離席理由「会議」との対応関係を表すデータを作成し記憶部１５のピックアップ履歴テーブル１５２に記憶する。なお、ピックアップ履歴テーブル１５２には、図３に示すようなデータが記憶されることになる。また、ピックアップキーは、予め割り当てられた機能キー２またはダイヤル［＃１４］となる。
【００２７】
ピックアップ履歴通知部１４４は、内線端末ＤＫＴ８にてピックアップ履歴を表示するための要求キーが押下された場合に、ピックアップ履歴テーブル１５２を参照して、内線端末ＤＫＴ８に対し対応するピックアップ履歴情報を通知し表示器に表示させる。なお、ピックアップ履歴を表示するための要求キーは、予め割り当てられた機能キー３またはダイヤル［＃１５］となる。
【００２８】
次に、以上のように構成されたシステムの動作について説明する。  
図４は、一般的なピックアップ動作を示している。
【００２９】
今、例えば外部端末ＴＴ１の発信に応じて、公衆網ＰＮＷから発信電話番号を含む内線端末ＤＫＴ２宛の着信信号がＰＢＸ１に到来したとする。この場合、ＰＢＸ１は内線端末ＤＫＴ２に対し着信データを送信して着信報知を行わせる。この着信報知中に、内線端末ＤＫＴ８のユーザがピックアップキーを押下して、内線端末ＤＫＴ２に着信している呼をピックアップしたとする。そうすると、内線端末ＤＫＴ８の表示器には、発信電話番号が表示されるが、着信先の内線番号は表示されない。さらに、内線端末ＤＫＴ８のユーザは、発信者から着信者を聞きだしたとしても、着信先となる内線端末ＤＫＴ２のユーザがどのような状況（外出、離席、携帯での通話など）であるかもわからない。
【００３０】
そこで、本実施形態では、ピックアップ側の内線端末ＤＫＴ８にてピックアップ前に、着信先の内線端末ＤＫＴ２の状況まで把握できるようにしている。
【００３１】
図５は、本実施形態によるピックアップ動作を示すシーケンス図、図６はＰＢＸ１の中央制御部１４による離席理由登録制御手順及びその内容を示すフローチャート、図７は中央制御部１４によるピックアップ制御手順及びその内容を示すフローチャートである。
【００３２】
例えば内線端末ＤＫＴ２のユーザが離席する際に、ユーザは内線端末ＤＫＴ２において離席理由を受け付けるためのキーが押下することで先ず理由登録モードを設定する（図５（１））。ＰＢＸ１の中央制御部１４は、ステップＳＴ６ａでこの理由登録モードの設定を検出すると、ステップＳＴ６ｂでユーザによる離席理由情報の入力を受け付ける。
【００３３】
このときユーザは、例えば「外出中」と入力する。そうすると、中央制御部１４は、入力された離席理由情報を表示器に表示する。この状態でユーザが内線端末ＤＫＴ２において確定操作を行なうと、中央制御部１４はステップＳＴ６ｃからステップＳＴ６ｄに移行してここで内線番号（１００１）と離席理由「外出中」とを対応付けて離席理由テーブル１５１に記憶する。
【００３４】
そして例えば外部端末ＴＴ１の発信に応じて、公衆網ＰＮＷから発信電話番号を含む内線端末ＤＫＴ２宛の着信信号がＰＢＸ１に到来したとする（図５（２））。この場合、ＰＢＸ１の中央制御部１４は内線端末ＤＫＴ２に対し着信データを送信して着信報知を行わせる（図５（３）、ステップＳＴ７ａ）。この着信報知中に、内線端末ＤＫＴ８のユーザが内線端末ＤＫＴ８（２０００）において着信情報を表示のための要求キーが押下したとする。そうすると中央制御部１４は、ステップＳＴ７ｂからステップＳＴ７ｃに移行してここで着信先に対応する離席理由情報が離席理由テーブル１５１に登録されているか否かを判定する。
【００３５】
ここで、登録されている場合には、中央制御部１４は要求の内線端末ＤＫＴ８に対し発信電話番号、着信内線番号及び離席理由情報を通知して表示器に表示させる（図５（４）、ステップＳＴ７ｄ）。従って、この表示によりユーザは着信報知中の内線端末ＤＫＴ２、発信電話番号、内線端末ＤＫＴ２のユーザの状況をピックアップ前に知ることができる。
【００３６】
一方、登録されていない場合には、中央制御部１４は要求の内線端末ＤＫＴ８に対し発信電話番号及び着信内線番号を通知して表示器に表示させる（ステップＳＴ７ｅ）。
【００３７】
この状態で内線端末ＤＫＴ８のユーザが、内線端末ＤＫＴ８においてピックアップキーを押下したとする。そうすると中央制御部１４は、ステップＳＴ７ｆからステップＳＴ７ｇに移行してここで内線端末ＤＫＴ８に対し内線端末ＤＫＴ２に着信している呼を転送して着信させる（図５（５））。
【００３８】
そして、内線端末ＤＫＴ８にて着信応答がなされた後に、中央制御部１４はピックアップ履歴テーブル１５２に登録中の内線端末ＤＫＴ８に対応するピックアップ履歴情報の内容を更新する。ここでは、例えば内線端末ＤＫＴ８の内線番号（２０００）と、ピックアップした日時の発信者情報及び内線番号（１００１）及び離席理由「外出中」とを対応付けて記憶する。
【００３９】
一方、上記ステップＳＴ７ｆにおいて内線端末ＤＫＴ８のユーザがピックアップキーを押下しない状態で例えば内線端末ＤＫＴ５のユーザが内線端末ＤＫＴ２に着信している呼に応答した場合（ステップＳＴ７ｈ、Ｙｅｓ）、処理をそのまま終了するが、内線端末ＤＫＴ２に着信している間、ステップＳＴ７ｆからステップＳＴ７ｈの処理を繰り返し実行する。
【００４０】
以上のように上記第１の実施形態では、ＰＢＸ１の中央制御部１４において、例えば内線端末ＤＫＴ２のユーザが離席による理由情報を入力した場合に、内線端末ＤＫＴ２の内線番号（１００１）と入力した離席理由情報とを対応付けて記憶部１５の離席理由テーブル１５１に記憶しておき、内線端末ＤＫＴ２への着信時に内線端末ＤＫＴ８にて着信情報を表示するためのキーが押下された場合に、着信中にある内線端末ＤＫＴ２の内線番号に基づいて離席理由テーブル１５１を参照して内線端末ＤＫＴ２の内線番号に対応する離席理由情報が記憶されているか否かを判定し、記憶されている場合に、発信元を特定する発信者情報及び着信先内線番号及び離席理由情報が内線端末ＤＫＴ８に通知するようにしている。そして、この通知状態で、内線端末ＤＫＴ８にてピックアップキーが押下された場合に、内線端末ＤＫＴ８に対し内線端末ＤＫＴ２に着信している呼を転送して着信させるようにしている。
【００４１】
従って、内線端末ＤＫＴ８のユーザは着信先の内線端末ＤＫＴ２へ足を運んで確認に行くことなく、着信呼のピックアップに先立ち、内線端末ＤＫＴ８にて発信者及び着信側の内線端末ＤＫＴ２の状態を把握できるため、スムーズな電話の取次ぎが可能となる。
【００４２】
また、上記第１の実施形態では、内線端末ＤＫＴ８によるピックアップ後に、内線端末ＤＫＴ８の内線番号と、発信者情報、内線端末ＤＫＴ２の内線番号及び離席理由情報の受信履歴に関するピックアップ履歴情報とを対応付けてピックアップ履歴テーブル１５２に記憶しておくことで、内線端末ＤＫＴ２のユーザが在席したときに、内線端末ＤＫＴ８のユーザは内線端末ＤＫＴ２のユーザに対しピックアップ履歴テーブル１５２に記憶されたピックアップ履歴情報に基づいて報告することができる。
【００４３】
（第２の実施形態）  
図８は、この発明の第２の実施形態に係わる交換システムの構成を示すブロック図である。なお、図８において、上記図１と同一部分には同一符号を付して詳細な説明を省略する。
【００４４】
この第２の実施形態では、記憶部１５に登録方法テーブル１５３を設けるようにしている。この登録方法テーブル１５３には、図９に示すように、内線端末ＤＫＴ１〜ＤＫＴｍの内線番号と、離席理由テーブル１５１への離席理由情報の登録方法を指定する情報との対応関係を表すデータが記憶されている。
【００４５】
離席理由テーブル１５１への離席理由情報の登録方法には、例えば内線端末ＤＫＴ１〜ＤＫＴｍごとにユーザの登録操作により個別に登録する方法と、特定の内線端末ＤＫＴ６においてユーザの登録操作により一括して登録する方法とがある。
【００４６】
いま例えばある会議グループに属する内線端末ＤＫＴ６のユーザが会議を実施する際に、内線端末ＤＫＴ６において離席による理由情報「会議中」を離席理由テーブル１５１に登録する操作を行なったとする。そうすると、中央制御部１４のテーブル作成部１４１は、登録方法テーブル１５３を参照して、例えば会議メンバーの内線端末ＤＫＴ４〜ＤＫＴ９について離席による理由情報「会議中」を離席理由テーブル１５１に一括して登録する。
【００４７】
以上のように上記第２の実施形態によれば、内線番号と離席理由テーブル１５１への離席による理由情報の登録方法とを対応付けた登録方法テーブル１５３を記憶部１５に設けることで、例えば各内線端末ＤＫＴ１〜ＤＫＴｍごとに、個々の内線端末の登録操作により内線番号と離席による理由情報とを対応付けて離席理由テーブル１５１へ登録したり、また特定の内線端末ＤＫＴ６における登録操作により会議メンバーとなる内線端末ＤＫＴ４〜ＤＫＴ９の内線番号と理由情報とを一括して離席理由テーブル１５１へ登録する等、各内線端末ＤＫＴ１〜ＤＫＴｍごとにその使用状況に適した登録を行うことができる。
【００４８】
（その他の実施形態）  
なお、この発明は上記各実施形態に限定されるものではない。例えば、上記第１の実施形態では、ピックアップ実行後に、ピックアップ履歴テーブルへの登録を行う例について説明したが、これに限ることなく、例えば着信情報の要求操作後に、ピックアップ履歴テーブルへの登録を行うものであってもよい。
【００４９】
その他、システムの構成及び種類、ＰＢＸの機能構成、テーブルの記憶内容、離席理由登録制御手順及びその内容、ピックアップ制御手順及びその内容等についても、この発明の要旨を逸脱しない範囲で種々変形して実施できる。
【符号の説明】
【００５０】
１…ＰＢＸ、１１…外線インタフェース部（外線Ｉ／Ｆ）、１２…内線インタフェース部（内線Ｉ／Ｆ）、１３…タイムスイッチ（ＴＳＷ）、１４…中央制御部、１５…記憶部、１６…制御バス（ＤＨＷ）、１７…音声バス（ＰＣＭＨＷ）、１４１…テーブル作成部、１４２…着信情報通知部、１４３…ピックアップ制御部、１４４…ピックアップ履歴通知部、１５１…離席理由テーブル、１５２…ピックアップ履歴テーブル、１５３…登録方法テーブル、ＤＫＴ１〜ＤＫＴｍ…内線端末、ＰＮＷ…公衆網、ＴＴ１…外部端末、ＳＬ…加入者線。
【図１】
2010177794.tif 000003
【図２】
2010177794.tif 000004
【図３】
2010177794.tif 000005
【図４】
2010177794.tif 000006
【図５】
2010177794.tif 000007
【図６】
2010177794.tif 000008
【図７】
2010177794.tif 000009
【図８】
2010177794.tif 000010
【図９】
2010177794.tif 000011